(57)【要約】【課題】登録印影と被照合印影との照合精度を向上させることを目的とする。【解決手段】印影照合プログラムは、照合対象の印影である被照合印影の画像データと、被照合印影に対応する登録印影の画像データと、登録印影のうちの指定された部分を示す情報とを取得し、指定された部分以外の部分を含む領域における、被照合印影と登録印影との一致率である第１一致率と、指定された部分における、被照合印影と登録印影との一致率である第２一致率とを算出し、第１一致率と第２一致率とに基づいて、被照合印影と登録印影とが一致するかを判定する処理をコンピュータに実行させる。【選択図】図８
2018136785.tif 000002
【特許請求の範囲】
【請求項１】
照合対象の印影である被照合印影の画像データと、前記被照合印影に対応する登録印影の画像データと、前記登録印影のうちの指定された部分を示す情報とを取得し、
前記指定された部分以外の部分を含む領域における、前記被照合印影と前記登録印影との一致率である第１一致率と、前記指定された部分における、前記被照合印影と前記登録印影との一致率である第２一致率とを算出し、
前記第１一致率と前記第２一致率とに基づいて、前記被照合印影と前記登録印影とが一致するかを判定する
処理をコンピュータに実行させることを特徴とする印影照合プログラム。
【請求項２】
前記第１一致率が第１閾値以上であり、かつ、前記第２一致率が第２閾値以上である場合、前記被照合印影と前記登録印影とが一致すると判定する
処理をコンピュータに実行させることを特徴とする請求項１記載の印影照合プログラム。
【請求項３】
前記第２閾値は、前記第１閾値より大きい
ことを特徴とする請求項２記載の印影照合プログラム。
【請求項４】
前記第１一致率に第１の値を乗算した値と、前記第２一致率に第１の値より大きい第２の値を乗算した値との合計値に基づいて、前記被照合印影と前記登録印影とが一致するかを判定する
処理をコンピュータに実行させることを特徴とする請求項１記載の印影照合プログラム。
【請求項５】
照合対象の印影である被照合印影の画像データと、前記被照合印影に対応する登録印影の画像データと、前記登録印影のうちの指定された部分を示す情報とを取得し、前記指定された部分以外の部分を含む領域における、前記被照合印影と前記登録印影との一致率である第１一致率と、前記指定された部分における、前記被照合印影と前記登録印影との一致率である第２一致率とを算出する算出部と、
前記第１一致率と前記第２一致率とに基づいて、前記被照合印影と前記登録印影とが一致するかを判定する判定部と
を備えることを特徴とする印影照合装置。
【請求項６】
照合対象の印影である被照合印影の画像データと、前記被照合印影に対応する登録印影の画像データと、前記登録印影のうちの指定された部分を示す情報とを取得し、
前記指定された部分以外の部分を含む領域における、前記被照合印影と前記登録印影との一致率である第１一致率と、前記指定された部分における、前記被照合印影と前記登録印影との一致率である第２一致率とを算出し、
前記第１一致率と前記第２一致率とに基づいて、前記被照合印影と前記登録印影とが一致するかを判定する
処理をコンピュータが実行することを特徴とする印影照合方法。
【発明の詳細な説明】
【技術分野】
【０００１】
本発明は、印影照合プログラム、印影照合装置および印影照合方法に関する。
【背景技術】
【０００２】
金融機関において、窓口で預金の払い戻しを請求された場合、受領済の登録印影と、払い戻し伝票（払い戻し請求書）に押印された印影（被照合印影）との照合が行われる。照合の際に、例えば、登録印影の画像データと払い戻し伝票に押印された印影の画像データを自動で照合する処理が行われる。そして、その照合処理の精度を向上することが求められている。
【０００３】
関連する技術として、登録印影と被照合印影との一致度を評価する技術が提案されている（例えば、特許文献１を参照）。
【０００４】
また、登録印影と被照合印影との相違部分の局所的な特徴を示す特徴量を算出する技術が提案されている（例えば、特許文献２を参照）。
【０００５】
また、登録印影の印影部分を複数のセグメントに分割し、被照合印影に対して登録印影のセグメント毎に照合を行い、各セグメント中、被照合印影と登録印影との一致率が最も低いセグメントを出力する技術が提案されている（例えば、特許文献３を参照）。
【０００６】
また、相違画素数がいずれかの固定サイズの矩形領域内において閾値以上あった場合、読取印イメージデータを類似文字と判定し、判定結果に基づいて、登録印イメージデータと読取印イメージデータとが一致するかどうかの判定結果を出力する技術が提案されている（例えば、特許文献４を参照）。
【先行技術文献】
【特許文献】
【０００７】
【特許文献１】特開２０１６−７１４４０号公報
【特許文献２】特開２００５−１６５３８３号公報
【特許文献３】特開２００１−７６１３６号公報
【特許文献４】特開２０１０−２６８７４号公報
【発明の概要】
【発明が解決しようとする課題】
【０００８】
登録印影全体と被照合印影全体とで一致率を計算する場合、例えば、印影にゴミ、かすれ、にじみ等の影響があると、被照合印影が正当であったとしても一致率が低く計算され、印影が一致しないと判定される可能性がある。また、被照合印が偽装印であり、登録印と異なっていたとしても、印影全体の一致率が高い場合、印影が一致すると判定されるおそれがある。
【０００９】
１つの側面として、本発明は、登録印影と被照合印影との照合精度を向上させることを目的とする。
【課題を解決するための手段】
【００１０】
１つの態様では、印影照合プログラムは、照合対象の印影である被照合印影の画像データと、前記被照合印影に対応する登録印影の画像データと、前記登録印影のうちの指定された部分を示す情報とを取得し、前記指定された部分以外の部分を含む領域における、前記被照合印影と前記登録印影との一致率である第１一致率と、前記指定された部分における、前記被照合印影と前記登録印影との一致率である第２一致率とを算出し、前記第１一致率と前記第２一致率とに基づいて、前記被照合印影と前記登録印影とが一致するかを判定する処理をコンピュータに実行させることを特徴とする。
【発明の効果】
【００１１】
１つの側面によれば、登録印影と被照合印影との照合精度を向上させることができる。
【図面の簡単な説明】
【００１２】
【図１】実施形態の印影登録システムの全体構成の一例を示す図である。
【図２】実施形態の印影照合システムの全体構成の一例を示す図である。
【図３】印章の一例を示す図である。
【図４】登録印影画像の一例を示す図である。
【図５】被照合印影画像の一例を示す図である。
【図６】登録印影画像と被照合印影画像とを重ね合わせた画像の一例を示す図である。
【図７】登録処理の流れの一例を示すフローチャートである。
【図８】照合処理の流れの一例を示すフローチャートである。
【図９】関連技術の照合処理における、画面表示の例を示す図である。
【図１０】実施形態の照合処理における、画面表示の例を示す図である。
【図１１】印影登録システムおよび印影照合システムのハードウェア構成の一例を示す図である。
【発明を実施するための形態】
【００１３】
＜実施形態の印影登録システムの全体構成の一例＞
以下、図面を参照して、実施形態について説明する。図１は、実施形態の印影登録システムの全体構成の一例を示す。実施形態の印影登録システムは、読取装置１ａと入力装置２ａと表示装置３ａと印影登録装置４と印影記憶部５とを含む。印影記憶部５は、印影登録装置４に含まれていてもよい。
【００１４】
例えば、ユーザ（金融機関の利用者）は、口座開設を行う場合に帳票（例えば、印鑑届出帳票）に届出印を押印する。そして、受付担当者は、押印された帳票を受け取り、読取装置１ａを用いて帳票の読み取りを行う。以下、届出印の押印による印影を登録印影と記載することがある。
【００１５】
読取装置１ａは、登録印影を含む帳票を撮影し、その帳票の画像データを生成して印影登録装置４に送信する。読取装置１ａは、例えば、スキャナ、またはカメラである。
【００１６】
入力装置２ａは、ユーザから、登録印影内の位置の指定（入力）を受け付け、指定された部分を示す情報を出力する。指定された部分は、例えば、ユーザが認識している特徴部分である。以下、印影のうち指定された部分を特徴部分と記載することがある。また、指定された部分を示す情報を特徴箇所情報と記載することがある。特徴箇所情報は、例えば、登録印影内の指定された部分（範囲）の位置を示す座標情報である。
【００１７】
また、入力装置２ａは、ユーザを識別可能な識別情報（例えば、口座番号）の入力を受け付ける。入力装置２ａは、例えば、キーボード、マウス、またはタッチパネルディスプレイである。
【００１８】
表示装置３ａは、登録印影の画像、または帳票画像等を表示する。表示装置３ａは、例えば、液晶ディスプレイやタッチパネルディスプレイ等であってもよい。入力装置２ａおよび表示装置３ａがタッチパネルディスプレイである場合、入力装置２ａおよび表示装置３ａは一つの装置であってもよい。
【００１９】
ユーザは、例えば、入力装置２ａ（タッチパネルディスプレイ）上に表示された印影画像のうちの一部をタッチすることにより、印影内の特徴部分の位置を指定する。また、ユーザは、入力装置２ａ（マウス）を操作して、表示装置３ａに表示された印影画像内の特徴部分にポインタを合わせてクリックすることにより、印影内の特徴部分の位置を指定してもよい。また、ユーザは、入力装置２ａ（キーボード）を操作して、印影内の特徴部分の位置を示す座標を入力することにより、印影内の特徴部分の位置を指定してもよい。
【００２０】
ユーザは、例えば、印影のうち独自性のある部分を特徴部分として指定することが想定される。特徴部分は、例えば、文字の「止め」または「はね」の部分、またはユーザが意図的に印章を欠けさせた箇所に対応する部分である。
【００２１】
ユーザ（金融機関の利用者）が入力装置２ａを用いて特徴部分の位置を入力することを説明したが、受付担当者が入力装置２ａを用いて特徴部分の位置を入力してもよい。
【００２２】
印影登録装置４は、登録帳票画像取得部１１と登録印影抽出部１２と特徴取得部１３と識別情報取得部１４と登録部１５と表示制御部１６とを含む。
【００２３】
登録帳票画像取得部１１は、登録印影を含む帳票の画像データを読取装置１ａから取得する。以下、登録印影を含む帳票の画像データを登録帳票画像と記載することがある。
【００２４】
登録印影抽出部１２は、登録帳票画像から登録印影部分を抽出する。登録印影抽出部１２は、例えば、帳票内の押印指定領域を示す座標情報を取得し、押印指定領域内の画像データを登録印影画像として抽出する。押印指定領域は、帳票のうち印鑑を押印する領域である。押印指定領域の座標情報は、例えば、予め帳票記憶部（図示せず）に記憶されている。
【００２５】
登録印影抽出部１２は、例えば、抽出した登録印影画像の２値化処理を行い、２値化した画像を登録印影画像として出力する。
【００２６】
特徴取得部１３は、入力装置２ａから印影内の特徴部分の位置を示す特徴箇所情報を取得する。
【００２７】
識別情報取得部１４は、入力装置２ａからユーザの識別情報を取得する。識別情報取得部１４は、登録帳票画像に対して画像認識処理を行うことにより、帳票に記載された識別情報を取得してもよい。
【００２８】
登録部１５は、登録印影抽出部１２から登録印影画像を取得し、特徴取得部１３から特徴箇所情報を取得し、識別情報取得部１４から識別情報を取得する。そして、登録部１５は、登録印影画像と特徴箇所情報と識別情報とを対応付けて、印影記憶部５に記憶する。
【００２９】
表示制御部１６は、表示装置３ａに対する表示制御を行う。表示制御部１６は、例えば、ユーザに特徴部分の位置を入力させる際に、登録印影の画像を表示する。
【００３０】
印影記憶部５は、登録部１５によって対応付けられた登録印影画像と特徴箇所情報と識別情報とを記憶する。
【００３１】
＜実施形態の印影照合システムの全体構成の一例＞
図２は、実施形態の印影照合システムの全体構成の一例を示す。実施形態の印影照合システムは、読取装置１ｂと入力装置２ｂと表示装置３ｂと印影記憶部５と印影照合装置６を含む。印影照合装置６は、コンピュータの一例である。
【００３２】
なお、印影照合装置６と印影登録装置４とは同一の装置であってもよい。例えば、印影照合装置６が、印影登録装置４に含まれる各要素を含んでいてもよい。
【００３３】
例えば、ユーザ（金融機関の利用者）が窓口で現金の引き出しを行う場合、帳票（例えば、払い戻し伝票）に照合に用いる印を押印する。そして、受付担当者は、押印された帳票を受け取り、読取装置１ｂを用いて帳票の読み取りを行う。以下、登録印影との照合に用いる印影を被照合印影と記載することがある。
【００３４】
読取装置１ｂは、被照合印影を含む帳票を撮影し、その帳票の画像データを生成して印影照合装置６に送信する。以下、被照合印影を含む帳票の画像データを、被照合帳票画像と記載することがある。読取装置１ｂは、例えば、スキャナ、またはカメラである。読取装置１ｂは、読取装置１ａと同一の装置であってもよい。
【００３５】
入力装置２ｂは、受付担当者から識別情報（例えば、口座番号）の入力を受け付け、その識別情報を印影照合装置６に出力する。入力装置２ｂは、例えば、キーボード、マウス、またはタッチパネルディスプレイである。入力装置２ｂは、入力装置２ａと同一の装置であってもよい。
【００３６】
表示装置３ｂは、印影照合装置６による照合判定結果等を表示する。表示装置３ｂは、例えば、ディスプレイやタッチパネルディスプレイであってもよい。入力装置２ｂおよび表示装置３ｂがタッチパネルディスプレイである場合、入力装置２ｂおよび表示装置３ｂは一つの装置であってもよい。表示装置３ｂは、表示装置３ａと同一の装置であってもよい。
【００３７】
印影記憶部５は、印影登録装置４の登録部１５によって対応付けられた登録印影画像と特徴箇所情報と識別情報とを記憶する。
【００３８】
印影照合装置６は、被照合帳票画像取得部２１と、被照合印影抽出部２２と、登録印影情報取得部２３と、算出部２４と、判定部２５と、表示制御部２６とを含む。
【００３９】
被照合帳票画像取得部２１は、読取装置１ｂから、被照合帳票画像を取得する。
被照合印影抽出部２２は、被照合帳票画像から印影（被照合印影）部分を抽出する。被照合印影抽出部２２は、例えば、帳票内の押印指定領域を示す座標情報に基づいて、押印指定領域内の画像データを被照合印影画像として抽出する。
【００４０】
登録印影情報取得部２３は、入力装置２ｂから被照合印影に対応する識別情報を取得し、その識別情報に対応する登録印影画像と特徴箇所情報とを印影記憶部５から取得する。登録印影情報取得部２３は、被照合帳票画像の画像認識処理を行うことにより、帳票に記載された識別情報を取得し、その識別情報に対応する登録印影画像と特徴箇所情報とを取得してもよい。
【００４１】
算出部２４は、被照合印影抽出部２２から被照合印影画像を取得し、登録印影情報取得部２３から、その被照合印影画像に対応する登録印影画像と特徴箇所情報とを取得する。
【００４２】
そして、算出部２４は、取得した被照合印影画像と登録印影画像と特徴箇所情報とに基づいて、特徴部分以外の部分を含む領域における、被照合印影と登録印影との一致率（第１一致率）と、特徴部分における、被照合印影と登録印影との一致率（第２一致率）とをそれぞれ算出する。特徴部分は、上述のように特徴箇所情報に示されている。
【００４３】
なお、特徴部分以外の部分を含む領域は、印影を含む所定領域全体（特徴部分を含む）であってもよいし、印影を含む所定領域のうち特徴部分を除いた領域であってもよい。以下、特徴部分以外の部分を含む領域は、押印指定領域全体（特徴部分を含む）であるとして説明する。
【００４４】
判定部２５は、算出部２４が算出した、第１一致率と、第２一致率とに基づいて、被照合印影と登録印影とが一致するか否かを判定する。
【００４５】
例えば、印影の特徴部分に相違があったとしても、他の部分に相違がなければ、特徴部分以外の部分を含む領域の一致率は高くなる。しかし、特徴部分に相違がある場合、異なる印影である可能性が高い。また、特徴部分は、印影全体の一部領域であるため、特徴部分に相違がある場合、特徴部分以外の部分を含む領域の一致率（第１一致率）より、特徴部分における一致率（第２一致率）の方が低く算出される。すなわち、第１一致率だけでなく、第２一致率を用いて一致するか否かを判定することにより、特徴部分の相違をより検出しやすくなる。そのため、本実施形態の印影照合装置６は、印影の照合精度を向上させることができる。
【００４６】
判定部２５は、例えば、第１一致率が第１閾値以上であり、かつ、第２一致率が第２閾値以上である場合に、被照合印影と登録印影とが一致すると判定する。第１閾値と第２閾値は同じであってもよいし、異なる値であってもよい。
【００４７】
例えば、第２閾値は、第１閾値より大きい値であってもよい。第１閾値を相対的に小さくすることにより、例えば、特徴部分以外にゴミ、かすれ、にじみ等が存在した場合に、実際には登録印影と同一である被照合印影を異なると誤判定する可能性を低減することができる。また、第２閾値を相対的に大きくすることにより、実際には登録印影と異なる被照合印影（例えば、偽装印鑑による印影）を同一であると誤判定する可能性を低減することができる。
【００４８】
判定部２５は、例えば、第１一致率に第１の値を乗算した値と、第２一致率に第１の値より大きい第２の値を乗算した値との合計値に基づいて、被照合印影と登録印影とが一致するか否かを判定してもよい。すなわち、判定部２５は、第２一致率に第１一致率より大きい重み付けをして得られた合計値に基づいて、照合を行う。この場合、判定部２５は、例えば、算出した合計値に基づく値が第３閾値以上である場合に、被照合印影画像と登録印影画像とが一致すると判定してもよい。なお、第３閾値は、第１閾値または第２閾値と同じ値であってもよいし、異なる値であってもよい。
【００４９】
第１一致率に対する重み付けを相対的に小さくすることにより、例えば、特徴部分以外にゴミ、かすれ、にじみ等が存在した場合に、実際には登録印影と同一である被照合印影を異なると誤判定する可能性を低減することができる。また、第２一致率に対する重み付けを相対的に大きくすることにより、実際には登録印影と異なる被照合印影（例えば、偽装印鑑による印影）を同一であると誤判定する可能性を低減することができる。
【００５０】
表示制御部２６は、判定部２５による照合判定結果を表示装置３ｂに表示する。表示制御部２６は、被照合印影と登録印影とを照合判定結果とともに表示装置３ｂに表示してもよい。
【００５１】
＜印章および印影画像の例＞
図３は、印章の一例を示す図である。図３に示す印章は、実施形態で用いられる届出印を示す。図３に示すように、印章内の円形の枠の一部が欠けており、ユーザが、その欠けた部分を特徴部分として指定することを想定する。
【００５２】
図４は、登録印影画像の一例を示す図である。図４に示す登録印影画像は、図３に示す印章を押印したことにより得られた印影の２値化画像である。図４に示す矩形の領域は、帳票内の押印指定領域を示す。上述したように、入力装置２ａは、ユーザから、印影内の特徴部分の位置の入力を受け付ける。図４に示す例では、座標（エ，Ｍ）における４×４のドット部分が特徴部分として指定されたとする。
【００５３】
図５は、被照合印影画像の一例を示す図である。図５に示す矩形の領域は、帳票内の押印指定領域を示す。図５に示す被照合印影画像は、登録印影画像とは異なる印影画像である。すなわち、図５に示す被照合印影画像は、届出印とは異なる印章による印影の２値化画像である。
【００５４】
図６は、登録印影画像と被照合印影画像とを重ね合わせた画像の一例を示す図である。図６は、図４に示す登録印影画像と図５に示す被照合印影画像とを重ね合わせた画像である。図６に示すように、特徴部分において、登録印影画像と被照合印影画像に相違点があり、特徴部分以外の部分（他の部分）にも登録印影画像と被照合印影画像に相違点がある。
【００５５】
また、図６の黒塗り部分は、登録印影画像と被照合印影画像の両方に存在する印影に対応する部分である。図６の網掛け部分（特徴部分の相違点、他の部分の相違点１、２）は、被照合印影画像に存在するが登録印影画像に存在しない印影に対応する部分である。図６のドット部分（他の部分の相違点３）は、登録印影画像に存在するが被照合印影画像に存在しない印影に対応する部分である。
【００５６】
＜算出部の算出処理の例＞
図６に示す例を用いて算出部２４の算出処理の例を説明する。算出部２４は、図６に示す相違点以外の部分が一致しているとみなして、一致率を算出する。算出部２４は、第１一致率を以下の式（１）のように算出する。
押印指定領域内における一致ドット数÷全体ドット数＝第１一致率・・・（１）
【００５７】
図６に示す例では、押印指定領域内における一致ドット数は、４０７５となる。なお、押印指定領域内における一致ドット数は、押印指定領域内における相違点（特徴部分の相違点および他の部分の相違点）を除くドット数である。また、図６に示す例では、全体ドット数は、４０９６である。この場合、算出部２４は、第１一致率を以下のように算出する。
４０７５÷４０９６＝９９％
【００５８】
また、算出部２４は、第２一致率を以下の式（２）のように算出する。
特徴部分における一致ドット数÷特徴部分のドット数＝第２一致率・・・（２）
【００５９】
図６に示す例では、特徴部分における一致ドット数は、９である。なお、特徴部分における一致ドット数は、特徴部分内の相違点を除くドット数である。特徴部分のドット数は、１６である。この場合、算出部２４は、第２一致率を以下のように算出する。
９÷１６＝５６％
【００６０】
＜判定部の判定処理の第１の例＞
図６に示す例を用いて判定部２５の判定処理の第１の例を説明する。第１の例では、判定部２５は、第１一致率が第１閾値以上であり、かつ、第２一致率が第２閾値以上である場合に、被照合印影と登録印影とが一致すると判定する。以下に示す例では、第１閾値が８０％であり、第２閾値が８０％であるとする。
【００６１】
上述した算出部２４の算出結果では、第１一致率は、９９％であり、第１閾値（８０％）以上である。しかし、第２一致率は、５６％であり、第２閾値（８０％）未満となる。従って、図６に示す例を用いた場合、判定部２５は、被照合印影画像と登録印影画像とが一致しないと判定する。
【００６２】
例えば、特徴部分における一致ドット数が１６であった場合、第２一致率は、１００％である。第１一致率が上述した９９％である場合、第１一致率は第１閾値以上であり、且つ第２一致率は第２閾値以上である。この場合、判定部２５は、被照合印影画像と登録印影画像とが一致すると判定する。
【００６３】
なお、上述したように、第２閾値は、第１閾値より大きい値であってもよい。例えば、第１閾値が８０％であり、第２閾値が９０％であってもよい。
【００６４】
＜判定部の判定処理の第２の例＞
図６に示す例を用いて判定部２５の判定処理の第２の例を説明する。第２の例では、判定部２５は、第１一致率に第１の値を乗算した値と、第２一致率に第１の値より大きい第２の値を乗算した値との合計値に基づいて、被照合印影と登録印影とが一致するか否かを判定する。判定部２５は、例えば、以下の式（３）で算出される重み付け一致率が第３閾値以上である場合に、被照合印影と登録印影とが一致すると判定する。
（第１一致率×第１の値＋第２一致率×第２の値）÷（第１の値＋第２の値）＝重み付け一致率・・・（３）
【００６５】
第１の値を１とし、第２の値を５とすると、図６に示す例を用いた場合、重み付け一致率は、以下のように算出される。
（９９％×１＋５６％×５）÷６＝６３％
【００６６】
第３閾値が、例えば、８０％であるとする。この場合、上記重み付け一致率（６３％）は、第３閾値未満であるため、判定部２５は、被照合印影画像と登録印影画像とが一致しないと判定する。なお、第３閾値は、第１閾値または第２閾値と異なる値であってもよい。
【００６７】
＜実施形態の登録処理の流れの一例＞
図７は、登録処理の流れの一例を示すフローチャートである。読取装置１ａは、登録印影を含む帳票を撮影し、その帳票の画像データを生成して印影登録装置４に送信する。そして、登録帳票画像取得部１１は、登録印影を含む帳票の画像データ（登録帳票画像）を読取装置１ａから取得する（ステップＳ１０１）。
【００６８】
登録印影抽出部１２は、登録帳票画像から登録印影部分を抽出する（ステップＳ１０２）。登録印影抽出部１２は、例えば、帳票内の押印指定領域を示す座標情報を取得し、押印指定領域内の画像データを登録印影画像として抽出する。
【００６９】
特徴取得部１３は、入力装置２ａから印影内の特徴部分の位置を示す特徴箇所情報を取得する（ステップＳ１０３）。
【００７０】
識別情報取得部１４は、入力装置２ａからユーザの識別情報を取得する（ステップＳ１０４）。
【００７１】
登録部１５は、登録印影画像と特徴箇所情報と識別情報とを対応付けて、印影記憶部５に記憶する（ステップＳ１０５）。
【００７２】
＜実施形態の照合処理の流れの一例＞
図８は、照合処理の流れの一例を示すフローチャートである。読取装置１ｂは、被照合印影を含む帳票を撮影し、その帳票の画像データを生成して印影照合装置６に送信する。そして、被照合帳票画像取得部２１は、読取装置１ｂから、被照合印影を含む帳票の画像データ（被照合帳票画像）を取得する（ステップＳ２０１）。
【００７３】
被照合印影抽出部２２は、被照合帳票画像から印影（被照合印影）部分を抽出する（ステップＳ２０２）。
【００７４】
登録印影情報取得部２３は、入力装置２ｂから被照合印影に対応する識別情報を取得し、その識別情報に対応する登録印影画像と特徴箇所情報とを印影記憶部５から取得する（ステップＳ２０３）。
【００７５】
算出部２４は、被照合印影画像と登録印影画像と特徴箇所情報とを取得して、特徴部分以外の部分を含む領域における、被照合印影と登録印影との一致率（第１一致率）と、特徴部分における、被照合印影と登録印影との一致率（第２一致率）とをそれぞれ算出する（ステップＳ２０４）。
【００７６】
判定部２５は、算出部２４が算出した、第１一致率と、第２一致率とに基づいて、被照合印影と登録印影とが一致するか否かを判定する（ステップＳ２０５）。
【００７７】
判定部２５は、例えば、第１一致率が第１閾値以上であり、かつ、第２一致率が第２閾値以上である場合に、被照合印影と登録印影とが一致すると判定する（第１の例）。判定部２５は、例えば、第１一致率に第１の値を乗算した値と、第２一致率に第１の値より大きい第２の値を乗算した値との合計値に基づいて、被照合印影と登録印影とが一致するか否かを判定してもよい（第２の例）。
【００７８】
以上のように、印影照合装置６は、押印指定領域全体における一致率（第１一致率）だけでなく、特徴部分における一致率（第２一致率）を用いて被照合印影画像と登録印影画像とが一致するか判定する。上述のように、特徴部分は、ユーザにより指定された部分であり、独自性がある部分であると考えられる。従って、印影照合装置６は、押印指定領域の第１一致率だけでなく、第２一致率を用いて印影の照合を行うことにより、照合精度を向上させることができる。
【００７９】
＜画面表示の例＞
図９は、関連技術の照合処理における、画面表示の例を示す図である。図９の例に示す関連技術では、特徴部分の指定は行われないとする。
【００８０】
図９（ａ）に示すように、登録印影は、第１色（例えば、青）で画面に表示される。また、図９（ｂ）に示すように、被照合印影は、第２色（例えば、赤）で表示される。
【００８１】
また、図９（ｃ）に示す照合結果において、登録印影に含まれ、被照合印影に含まれない部分は、第１色で表示される。また、被照合印影に含まれ、登録印影に含まれない部分は、第２色で表示される。また、登録印影と被照合印影の両方に含まれる部分は、第３色（例えば、緑）で表示される。
【００８２】
図１０は、実施形態の照合処理における、画面表示の例を示す図である。表示制御部２６は、図１０（ａ）に示すように、登録印影を、第１色で画面に表示する。表示制御部２６は、印影記憶部５に記憶された特徴箇所情報に基づいて、特徴部分を、実線の矩形の枠で表示する。
【００８３】
表示制御部２６は、図１０（ｂ）に示すように、被照合印影を、第２色で画面に表示する。また、表示制御部２６は、印影記憶部５に記憶された特徴箇所情報に基づいて、特徴部分を、破線の矩形の枠で表示する。
【００８４】
図１０（ａ）、（ｂ）を表示する際に、例えば、入力装置２ｂが、照合担当者から特徴部分の指定を受け付けてもよい。そして、表示制御部２６は、指定された部分を矩形の枠で表示してもよい。
【００８５】
そして、表示制御部２６は、図１０（ｃ）に示すように、登録印影のうち、特徴部分のみを表示する。また、表示制御部２６は、図１０（ｄ）に示すように、被照合印影のうち、特徴部分のみを表示する。
【００８６】
そして、表示制御部２６は、図１０（ｅ）に示すように、照合結果として、登録印影と被照合印影とを重ね合わせた画像を表示する。表示制御部２６は、登録印影にのみ存在する部分を、第１色で画面に表示する。また、表示制御部２６は、特徴部分において、登録印影と被照合印影の両方に存在する部分を、第３色で画面に表示する。また、表示制御部２６は、特徴部分以外の部分において、登録印影と被照合印影の両方に存在する部分を、第４色（例えば、水色）で画面に表示する。
【００８７】
以上のように、表示制御部２６は、登録印影および被照合印影の特徴部分を矩形の枠等で強調表示する。また、表示制御部２６は、登録印影および被照合印影のうち、特徴部分と特徴部分以外の部分とを異なる形態（形状や色）で表示する。これにより、印影照合装置６は、印影の特徴部分をより強調して表すことができる。
【００８８】
＜印影登録システムおよび印影照合システムのハードウェア構成の一例＞
次に、印影登録システムおよび印影照合システムのハードウェア構成の一例を説明する。図１１は、印影登録システムおよび印影照合システムのハードウェア構成の一例を示す図である。図１１の例に示すように、バス１００に対して、プロセッサ１１１とRandom Access Memory(RAM)１１２と補助記憶装置１１３と通信インタフェース１１４とが接続される。また、バス１００に対して、グラフィック処理装置１１５と入力インタフェース１１６と光学ドライブ装置１１７と機器接続インタフェース１１８とが接続される。
【００８９】
プロセッサ１１１はＲＡＭ１１２に展開されたプログラムを実行する。実行されるプログラムとしては、実施形態における処理を行う印影登録プログラムまたは印影照合プログラムが適用されてもよい。
【００９０】
補助記憶装置１１３は、ＲＡＭ１１２に展開されるプログラムを記憶する。補助記憶装置１１３は、種々の情報を記憶する記憶装置であり、例えばハードディスクドライブや半導体メモリ等を適用してもよい。
【００９１】
通信インタフェース１１４は、印影登録装置４および印影照合装置６が他の情報処理端末等（例えば、携帯端末１２５）と各種情報を送受信する際に用いられる。
【００９２】
グラフィック処理装置１１５には、ディスプレイ１１９が接続される。グラフィック処理装置１１５は、例えば映像を映し出すための処理を行うGraphics Processing Unit（GPU）が搭載されたボードである。図１に示す表示装置３ａ、および図２に示す表示装置３ｂは、例えば、ディスプレイ１１９により実現されてもよい。
【００９３】
入力インタフェース１１６には、キーボード１２０、マウス１２１、およびスキャナ１２２が接続される。図１に示す読取装置１ａ、および図２に示す読取装置１ｂは、例えばスキャナ１２２により実現されてもよい。図１に示す入力装置１ａ、および図２に示す入力装置２ｂは、例えばキーボード１２０、およびマウス１２１により実現されてもよい。
【００９４】
光学ドライブ装置１１７は、光ディスク１２３（例えば、Compact Disc(CD)やDigital Versatile Disc(DVD))と接続可能に設けられている。
【００９５】
機器接続インタフェース１１８は、可搬型記録媒体１２４と接続可能に設けられている。可搬型記録媒体１１８としては、可搬型のメモリや半導体メモリ等を適用してもよい。この可搬型記録媒体１２４に実施形態の処理を行う印影登録プログラム、および印影照合プログラムが記録されていてもよい。
【００９６】
図１および図２に示す印影記憶部５は、ＲＡＭ１１２や補助記憶装置１１３等により実現されてもよい。図１に示す登録帳票画像取得部１１、登録印影抽出部１２、特徴取得部１３、識別情報取得部１４、登録部１５、および表示制御部１６は、与えられた印影登録プログラムをプロセッサ１１１が実行することにより実現されてもよい。また、図２に示す被照合帳票画像取得部２１、被照合印影抽出部２２、登録印影情報取得部２３、算出部２４、判定部２５、および表示制御部２６は、与えられた印影照合プログラムをプロセッサ１１１が実行することにより実現されてもよい。
【００９７】
また、実施形態の印影登録装置４および印影照合装置６は、ネットワーク２００を介して、携帯端末１２５と通信可能であってもよい。例えば、印影登録装置４は、携帯端末１２５に登録印影画像を出力してもよい。例えば、印影照合装置６は、携帯端末１２５に被照合印影画像、照合結果等を出力してもよい。
【００９８】
ＲＡＭ１１２、補助記憶装置１１３および可搬型記録媒体１２４は、何れもコンピュータ読み取り可能な有形の記憶媒体の一例である。これらの有形な記憶媒体は、信号搬送波のような一時的な媒体ではない。
【００９９】
＜その他＞
本実施形態は、以上に述べた実施の形態に限定されるものではなく、本実施形態の要旨を逸脱しない範囲内で種々の構成または実施形態を取ることができる。
【符号の説明】
【０１００】
１ａ、１ｂ    読取装置
２ａ、２ｂ    入力装置
３ａ、３ｂ    表示装置
４    印影登録装置
５    印影記憶部
６    印影照合装置
２１    被照合帳票画像取得部
２２    被照合印影抽出部
２３    登録印影情報取得部
２４    算出部
２５    判定部
２６    表示制御部
１１１    プロセッサ
１１２    ＲＡＭ
１１３    補助記憶装置
【図１】
2018136785.tif 000003
【図２】
2018136785.tif 000004
【図３】
2018136785.tif 000005
【図４】
2018136785.tif 000006
【図５】
2018136785.tif 000007
【図６】
2018136785.tif 000008
【図７】
2018136785.tif 000009
【図８】
2018136785.tif 000010
【図９】
2018136785.tif 000011
【図１０】
2018136785.tif 000012
【図１１】
2018136785.tif 000013